(57)【要約】【課題】スクロール性能を有する移動通信端末及び移動通信端末に格納されたコンテンツデータをスクローリングする方法を提供すること。【解決手段】コンテンツデータがスクローリングできる移動通信端末は、活性化の際、加速信号を発生するように構成される少なくとも１つの加速キーを含む。制御器は、前記加速信号に基づいて所定速度より高い速度でコンテンツデータをスクローリングするように構成される。前記制御器は、前記加速キー活性化の際、ページ単位でコンテンツデータをスクローリングするように構成され得る。【選択図】図３
2007073042.tif 000002
【特許請求の範囲】
【請求項１】
コンテンツデータがスクローリングできる移動通信端末であって、
活性化の際、加速信号を発生させるように構成された、少なくとも１つの加速キーと、
前記加速信号に応答して所定速度より高い速度でコンテンツデータをスクローリングするように構成された制御器と、
を含むことを特徴とする移動通信端末。
【請求項２】
前記制御器は、前記加速キー活性化の際、ページ単位でコンテンツデータをスクローリングするように構成されることを特徴とする請求項１記載の移動通信端末。
【請求項３】
前記制御器は、前記加速キーが持続的に活性化される際、前記所定速度より高い速度でコンテンツデータを持続的にスクローリングするように構成されることを特徴とする請求項１記載の移動通信端末。
【請求項４】
前記加速キーは、凸部材及び凹部材のうち、少なくとも１つの形態で構成されることを特徴とする請求項１記載の移動通信端末。
【請求項５】
スクロール信号及びスクロール方向信号のうち、少なくとも１つを発生させるように構成される探索器を更に含み、
前記制御器は、前記スクロール方向信号に基づく方向にコンテンツデータをスクローリングするように構成されることを特徴とする請求項１記載の移動通信端末。
【請求項６】
前記制御器は、前記探索キーが所定期間間活性化される際、コンテンツデータをスクローリングするように構成されることを特徴とする請求項５記載の移動通信端末。
【請求項７】
前記探索キーは、環状を有し、前記探索キーと持続的に接触し、前記探索キーでの接触地点が前記探索キーでの一地点から他の地点に変更される際、前記スクロール方向信号により表示されるスクロール方向が動的に変更されることを特徴とする請求項５記載の移動通信端末。
【請求項８】
前記スクロール方向信号により表示される方向にコンテンツデータを持続的にスクローリングするように構成される探索方向キーを更に含むことを特徴とする請求項５記載の移動通信端末。
【請求項９】
前記制御器によりスクローリングされるコンテンツデータをディスプレイするディスプレイを更に含むことを特徴とする請求項１記載の移動通信端末。
【請求項１０】
スクロール信号を生成するための手段を更に含むことを特徴とする請求項１記載の移動通信端末。
【請求項１１】
前記スクロール信号生成手段での入力を感知するための手段を更に含むことを特徴とする請求項１０記載の移動通信端末。
【請求項１２】
前記制御器をしてコンテンツデータを持続的にスクローリングするようにする信号を発生させるための手段を更に含むことを特徴とする請求項１記載の移動通信端末。
【請求項１３】
コンテンツデータがスクローリングできる移動通信端末であって、
少なくとも２つのセンサーを備え、活性化されるセンサーの個数に基づいて信号を発生させるように構成される入力部と、
前記信号に基づいて、複数個のコンテンツデータをスクローリングしたり、または、所定速度より高い速度でコンテンツデータをスクローリングするように構成される制御器と、
を含むことを特徴とする移動通信端末。
【請求項１４】
移動通信端末において、コンテンツ端末をスクローリングする方法であって、
スクロール信号を発生させるステップと、
所定速度より高い速度でコンテンツデータをスクローリングする加速信号が受信されるか否かを判定するステップと、
前記加速信号が受信されれば、前記所定速度より高い速度でコンテンツデータをスクローリングするステップと、
を含むことを特徴とする方法。
【請求項１５】
前記加速信号が受信されれば、ページ単位でコンテンツデータをスクローリングするステップを更に含むことを特徴とする請求項１４記載の方法。
【請求項１６】
スクロール方向信号が受信されるか否かを判定するステップと、
スクロール方向信号が受信されれば、前記スクロール方向信号に基づく方向にコンテンツデータをスクローリングするステップと、
を更に含むことを特徴とする請求項１４記載の方法。
【請求項１７】
前記スクロール方向信号が所定時間持続的に受信されるか否かを判定するステップと、
前記スクロール方向信号が所定時間持続的に受信されれば、前記スクロール方向信号に基づく方向にコンテンツデータをスクローリングするステップと、
を更に含むことを特徴とする請求項１６記載の方法。
【請求項１８】
ディスプレイをしてコンテンツデータスクローリングのプロセスをディスプレイするようにするステップを更に含むことを特徴とする請求項１４記載の方法。
【請求項１９】
プロセッサにより実行される際、プロセッサをして請求項１４に記載された方法を遂行するようにする命令語を含むことを特徴とするプロセッサ実行可能媒体。
【請求項２０】
移動通信端末において、コンテンツデータをスクローリングする方法であって、
発生される信号の数を判定するステップ（前記信号の数は活性化されたセンサーの数を表す）と、
前記発生される信号の数に基づいて、複数のコンテンツデータをスクローリングしたり、または、所定速度より高い速度でコンテンツデータをスクローリングするステップと、
を含むことを特徴とする方法。
【発明の詳細な説明】
【技術分野】
【０００１】
本発明は、移動通信端末に関し、より詳しくは、格納されたコンテンツデータをスクローリングすることができる移動通信端末及び移動通信端末でコンテンツデータをスクローリングする方法に関する。
【背景技術】
【０００２】
以下、従来の移動通信端末を使用してコンテンツデータをスクローリングする方法を詳細に説明する。前述した従来の移動通信端末は、ディスプレイ、キーボード、スピーカ及びマイクロホンを含む。
【０００３】
移動通信端末のユーザは、キーボードと関連した所定キーを使用して移動通信端末に格納された多様なコンテンツデータを探索することができる。例えば、ユーザは、右方向キー、左方向キー、上方向キー、及び下方向キーの４個の方向キーのうち、少なくとも１つを使用して探索することができる。ユーザが前述したキーのうち、いずれか１つを１回タッチしたり押さえれば、移動通信端末は格納されたコンテンツデータを１段階ずつスクロールする。例えば、ユーザが下方に２回スクローリング操作及び右方に３回スクローリング操作を遂行することを希望すれば、ユーザは下方向キーを２回タッチしたり押さえた後、右方向キーを３回タッチしたり押さえなければならない。
【０００４】
ディスプレイは、ユーザが４個の方向キーのうち、いずれか１つをタッチしたり押さえる度に生成される方向信号に基づいてコンテンツデータスクローリングプロセスをディスプレイする。例えば、ディスプレイはユーザが右方向キーを１回タッチしたり押さえる時、右側方向に単一スクローリング操作をディスプレイする。他の例として、ディスプレイは２つのスクローリング操作をディスプレイするが、ユーザが下方向キーを２回、左方向キーを１回タッチしたり押さえる時、第１スクローリング操作は下方に２回移動するものであり、第２スクローリング操作は左方に１回移動するものである。
【０００５】
前述した従来の移動通信端末の問題点は、格納されたコンテンツデータに対する移動時毎に、ユーザが個別的に方向キーをタッチしたり押さえなければならないという点である。希望するコンテンツデータに対する探索が大量のコンテンツデータスクローリングを要求することになれば、ユーザは方向キーを数回繰り返してタッチしたり押さえるべきである。
【０００６】
前述した従来の移動通信端末の他の問題点は、希望するコンテンツデータを探索するためにユーザが繰り返して方向キーを押さえる間、不要な時間を浪費することになるという点である。
【発明の開示】
【発明が解決しようとする課題】
【０００７】
本発明は、前記言及した問題点及びその他の問題点を実質的に克服するスクロール性能を有する移動通信端末及び移動通信端末に格納されたコンテンツデータをスクローリングする方法を提供することを目的とする。
【課題を解決するための手段】
【０００８】
一実施形態において、移動通信端末は、活性化の際、加速信号を発生させるように構成される少なくとも１つの加速キー、及び前記加速信号に応答して所定速度以上の速度でコンテンツデータをスクローリングするように構成される制御器を含む。
【０００９】
他の実施形態において、移動通信端末を使用してコンテンツデータをスクローリングする方法は、スクロール信号を発生させるステップ、所定速度以上の速度でコンテンツデータをスクローリングする加速信号が受信されるか否かを判定するステップ、及び前記加速信号が受信される場合、前記所定速度以上の速度でコンテンツデータをスクローリングするステップを含む。
【００１０】
いままでの一般的な説明及び以下の詳細な説明は例示に過ぎないのであり、本発明の範囲を制限することと考慮されてはならないという点が分かるはずである。
【００１１】
本発明の一利点（ａｄｖａｎｔａｇｅ）によれば、移動通信端末に配置されたタッチ−パッド、または、センサーを使用して、移動通信端末は多様な格納されたコンテンツデータをスクローリングすることができ、これを使用する方法が提供される。
【００１２】
本発明の他の利点によれば、移動通信端末は、多様なコンテンツデータを速くスクローリングすることができ、これを使用する方法が提供される。
【００１３】
本発明の更に他の利点によれば、移動通信端末は、格納されたコンテンツデータをスクローリングするプロセスを希望する探索方向にディスプレイすることができ、このような性能を提供する方法が提供される。
【００１４】
上記目的を達成するために、本発明は、例えば、以下の手段を提供する。
【００１５】
（項目１）  
コンテンツデータがスクローリングできる移動通信端末であって、
活性化の際、加速信号を発生させるように構成された、少なくとも１つの加速キーと、
前記加速信号に応答して所定速度より高い速度でコンテンツデータをスクローリングするように構成された制御器と、
を含むことを特徴とする移動通信端末。
【００１６】
（項目２）
前記制御器は、前記加速キー活性化の際、ページ単位でコンテンツデータをスクローリングするように構成されることを特徴とする項目１記載の移動通信端末。
【００１７】
（項目３）
前記制御器は、前記加速キーが持続的に活性化される際、前記所定速度より高い速度でコンテンツデータを持続的にスクローリングするように構成されることを特徴とする項目１記載の移動通信端末。
【００１８】
（項目４）
前記加速キーは、凸部材及び凹部材のうち、少なくとも１つの形態で構成されることを特徴とする項目１記載の移動通信端末。
【００１９】
（項目５）
スクロール信号及びスクロール方向信号のうち、少なくとも１つを発生させるように構成される探索器を更に含み、
前記制御器は、前記スクロール方向信号に基づく方向にコンテンツデータをスクローリングするように構成されることを特徴とする項目１記載の移動通信端末。
【００２０】
（項目６）
前記制御器は、前記探索キーが所定期間間活性化される際、コンテンツデータをスクローリングするように構成されることを特徴とする項目５記載の移動通信端末。
【００２１】
（項目７）
前記探索キーは、環状を有し、前記探索キーと持続的に接触し、前記探索キーでの接触地点が前記探索キーでの一地点から他の地点に変更される際、前記スクロール方向信号により表示されるスクロール方向が動的に変更されることを特徴とする項目５記載の移動通信端末。
【００２２】
（項目８）
前記スクロール方向信号により表示される方向にコンテンツデータを持続的にスクローリングするように構成される探索方向キーを更に含むことを特徴とする項目５記載の移動通信端末。
【００２３】
（項目９）
前記制御器によりスクローリングされるコンテンツデータをディスプレイするディスプレイを更に含むことを特徴とする項目１記載の移動通信端末。
【００２４】
（項目１０）
スクロール信号を生成するための手段を更に含むことを特徴とする項目１記載の移動通信端末。
【００２５】
（項目１１）
前記スクロール信号生成手段での入力を感知するための手段を更に含むことを特徴とする項目１０記載の移動通信端末。
【００２６】
（項目１２）
前記制御器をしてコンテンツデータを持続的にスクローリングするようにする信号を発生させるための手段を更に含むことを特徴とする項目１記載の移動通信端末。
【００２７】
（項目１３）
コンテンツデータがスクローリングできる移動通信端末であって、
少なくとも２つのセンサーを備え、活性化されるセンサーの個数に基づいて信号を発生させるように構成される入力部と、
前記信号に基づいて、複数個のコンテンツデータをスクローリングしたり、または、所定速度より高い速度でコンテンツデータをスクローリングするように構成される制御器と、
を含むことを特徴とする移動通信端末。
【００２８】
（項目１４）
移動通信端末において、コンテンツ端末をスクローリングする方法であって、
スクロール信号を発生させるステップと、
所定速度より高い速度でコンテンツデータをスクローリングする加速信号が受信されるか否かを判定するステップと、
前記加速信号が受信されれば、前記所定速度より高い速度でコンテンツデータをスクローリングするステップと、
を含むことを特徴とする方法。
【００２９】
（項目１５）
前記加速信号が受信されれば、ページ単位でコンテンツデータをスクローリングするステップを更に含むことを特徴とする項目１４記載の方法。
【００３０】
（項目１６）
スクロール方向信号が受信されるか否かを判定するステップと、
スクロール方向信号が受信されれば、前記スクロール方向信号に基づく方向にコンテンツデータをスクローリングするステップと、
を更に含むことを特徴とする項目１４記載の方法。
【００３１】
（項目１７）
前記スクロール方向信号が所定時間持続的に受信されるか否かを判定するステップと、
前記スクロール方向信号が所定時間持続的に受信されれば、前記スクロール方向信号に基づく方向にコンテンツデータをスクローリングするステップと、
を更に含むことを特徴とする項目１６記載の方法。
【００３２】
（項目１８）
ディスプレイをしてコンテンツデータスクローリングのプロセスをディスプレイするようにするステップを更に含むことを特徴とする項目１４記載の方法。
【００３３】
（項目１９）
プロセッサにより実行される際、プロセッサをして項目１４に記載された方法を遂行するようにする命令語を含むことを特徴とするプロセッサ実行可能媒体。
【００３４】
（項目２０）
移動通信端末において、コンテンツデータをスクローリングする方法であって、
発生される信号の数を判定するステップ（前記信号の数は活性化されたセンサーの数を表す）と、
前記発生される信号の数に基づいて、複数のコンテンツデータをスクローリングしたり、または、所定速度より高い速度でコンテンツデータをスクローリングするステップと、
を含むことを特徴とする方法。
【発明の効果】
【００３５】
本発明によれば、移動通信端末は、入力部に含まれたタッチ−パッド、または、センサーを使用してユーザのタッチングアクション、または、押さえアクションを感知するので、ユーザは希望するコンテンツデータを便利に探索することができる。
【００３６】
また、移動通信端末は、入力部に含まれた加速キーを使用して希望するコンテンツを速かに探索することができる。
【００３７】
また、移動通信端末は、入力部に含まれた探索キー、または、加速探索キーを使用してスクロール速度を調節することができる。
【００３８】
また、移動通信端末は、入力部に含まれた探索方向キーを使用してコンテンツ探索方向を容易に樹立することができる。
【００３９】
また、移動通信端末は、希望するコンテンツデータを探索するために、多様なコンテンツデータをスクローリングするプロセスをディスプレイすることができる。
【発明を実施するための最良の形態】
【００４０】
以下、添付の図面を参照して、本発明の実施形態を詳細に説明する。できる限り、図面の全般に亘って同一な参照番号は同一、または、類似の部分を参照するように使われるはずである。
【００４１】
図１は、本発明の実施形態によりコンテンツデータがスクローリングできる移動通信端末の一例を示すブロック図である。移動通信端末は、ストレージユニット、メモリ１１０、入力部１２０、制御器１３０及びディスプレイ１４０を含む。ストレージユニット１１０は多様なコンテンツデータを格納する。制御器１３０は多様なコンテンツデータを所定カテゴリーとサブカテゴリーにより分類する。例えば、制御器１３０はコンテンツデータを広いカテゴリー（イメージファイル等）から狭いカテゴリー（ＪＰＥＧイメージ等）まで含むカテゴリー階層に体系化する。全ての目的で、コンテンツデータは全てのタイプの媒体ファイルを含む全ての形式のデータをカバーするように考慮される。媒体ファイルは、これに限るのではないが、マルチメディアファイル、音楽ファイル、動画像ファイル、停止画ファイル及びマルチメディアメッセージを含むことができる。
【００４２】
例えば、ストレージユニット１１０がサウンド設定データを１つのカテゴリーとして格納すれば、ストレージユニット１１０は、サウンド設定データのサブカテゴリーとして、ベル音設定データ、ベル音データ、または、振動設定データ、ボリューム制御データ及びサウンド効果制御データを格納することができる。ストレージユニット１１０はまた多様なデータをサブカテゴリーのサブカテゴリーとして格納することができる。例えば、ストレージユニット１１０は、前述したボリューム制御データのサブカテゴリーとして、引込みベル音ボリューム設定データ、呼出しサウンドボリューム設定データ、及びボタンサウンドボリューム設定データを格納することができる。
【００４３】
入力部１２０は、探索キー、エンターキー及び探索方向キーのうち、少なくとも１つを含むことができる。探索キーはストレージユニット１１０に格納された多様なコンテンツデータをスクローリングすることにより、特定のコンテンツデータに向かってナビゲートすることに使われるスクロール信号を発生させることができる。探索キーは、探索キーに対してタッチングアクション、または、押さえアクションなどのユーザ入力に応じてスクロール信号を発生させるタッチ−パッド、または、センサーを含むことができる。反対に、探索キーは、タッチングアクション、または、押さえアクションなどのユーザ入力が感知できない時はスクロール信号発生を停止させることができる。
【００４４】
スクロール信号は、ストレージユニット１１０に格納された特定のコンテンツデータの位置情報を提供する信号、特定のコンテンツデータを探索するためにスクロール方向を提供する信号、または、特定のコンテンツデータを探索するためにスクロールを実行することができる信号などでありうる。
【００４５】
一実施形態において、入力部１２０は、ユーザのタッチングアクション、または、押さえアクションが感知される際、スクロール信号を発生させるタッチ−パッドを含むことができる。入力部１２０はタッチ−パッドと接触することになるユーザの指、または、物体からの圧力や温度を感知することができる。感知された圧力や温度が基準圧力、または、基準温度以上であれば、入力部１２０はスクロール信号を発生させる。入力部１２０はユーザのタッチングアクション、または、押さえアクションを感知するセンサーを含むことができる。センサーはユーザの指、または、物体の圧力を感知する圧力センサー、または、ユーザの指、または、物体の温度を感知する温度センサーでありうる。入力部１２０は、圧力センサー、または、温度センサーを使用してユーザのタッチングアクション、または、押さえアクションを感知して、感知された圧力、または、温度に基づいてスクロール信号を発生させる。
【００４６】
代案的な実施形態において、入力部１２０は、タッチ−パッドと接触することになるユーザの指、または、物体による電流、抵抗、または、容量変化を感知することができる。入力部１２０は前述した電流、抵抗、または、容量変化が基準値以上の時、スクロール信号を発生させる。
【００４７】
制御器１３０は、入力部１２０により発生されるスクロール信号に基づいて、多様な格納されたコンテンツデータをスクロールするはずである。ディスプレイ１４０は、特定のコンテンツデータを探索するために、多様なコンテンツデータをスクローリングするプロセスをディスプレイしたり、または、制御器１３０からの制御信号に基づいて探索された特定のコンテンツデータをディスプレイすることができる。例えば、ディスプレイ１４０は、特定のコンテンツデータに対するコンテンツデータスクローリングのプロセスを４方向（右方、左方、上方、または、下方）の中から選択されたスクロール方向に基づいて順次にディスプレイすることができる。言い換えると、選択されたスクロール方向が下方の場合、ディスプレイ１４０はコンテンツデータをスクローリングするスクロールプロセスを下方にディスプレイするはずである。選択されたスクロール方向が右方の場合、ディスプレイはコンテンツデータをスクローリングするスクロールプロセスを右方にディスプレイするはずである。
【００４８】
ここで、図２ａ、２ｂ、２ｃ、２ｄ及び２ｅを参照して、入力部１２０の多様な実施形態を説明する。入力部１２０は、探索キー２１０、２３０及び加速キー２２０を含む。探索キー２１０は環状であり、２つの端部を有する。加速キー２２０は各々環状探索キー２１０の一側端部に配置される。
【００４９】
探索キー２１０、２３０は、ユーザのタッチングアクション、または、押さえアクションが感知される際、希望するコンテンツデータを探索することに使われることができるスクロール信号を発生させるタッチ−パッド、または、センサーを含むことができる。一実施形態によれば、ユーザが探索キー２１０、２３０のうち、いずれか１つから指を放さない場合、持続的な接触により、ユーザは持続的にコンテンツデータをスクロールすることができる。
【００５０】
加速キー２２０は、移動通信端末にあらかじめ定義された定常速度より高い速度でコンテンツデータをスクローリングすることに使われることができる加速信号を発生させる。加速キー２２０はまたユーザが触覚を感じられるように凸部材、または、凹部材の形態で構成されることができる。探索キー２１０、２３０と加速キー２２０に対する詳細は後述することにする。
【００５１】
図２ａは、本発明の第１実施形態に係る入力部の全面図である。入力部１２０は、探索キー２１０、２３０、加速キー２２０及びエンターキー２４０を含む。
【００５２】
探索キー２１０は、上方矢印キー（∧）、左方矢印キー（＜）及び右方矢印キー（＞）を含む。探索キー２３０は下方矢印キー（∨）を含む。探索キー２１０、２３０は、希望するコンテンツデータを探索するためにスクロール方向を選択することに使われることができ、右方、左方、上方、及び下方の４方向のうち、少なくとも１つから選択されることができる。
【００５３】
例えば、下方向は、一般的にデフォルトスクロール方向である。ユーザが左方矢印キー（＜）、または、右方矢印キー（＞）をタッチしたり、または、押さえれば、スクロール方向は各々左方、または、右方に設定されるはずである。左方矢印キー（＜）、または、右方矢印キー（＞）が選択された以後、ユーザの希望するコンテンツデータを上方、または、下方に探索することを希望すれば、ユーザは上方矢印キー（∧）、または、下方矢印キー（∨）をタッチしたり、または、押さえるはずであり、探索方向は各々上方向、または、下方向に設定されるはずである。
【００５４】
例えば、探索キー２１０、２３０を使用する間、ユーザの指が探索キー２１０と持続的に接触を維持すると共に、彼の指を探索キー２１０の一部分から他の部分に向けて右方へ移動すれば、コンテンツデータは選択されたスクロール方向にスクロールされるはずである。一方、ユーザが探索キー２１０と持続的に接触を維持すると共に、彼の指を探索キー２１０の一部分から他の部分に向けて左方へ移動すれば、コンテンツデータはスクローリングされた方向の反対方向にスクロールされるはずである。
【００５５】
加速キー２２０は探索キー２１０の両端部上の二重矢印キー（＞＞）を含む。ユーザが加速キー２２０を使用して特定のコンテンツデータの探索を希望すれば、ユーザは加速キー２２０のうち、いずれか１つを押さえたり、または、タッチして、所定期間間、所定の定常速度より高い速度でコンテンツデータをスクロールする。ユーザがその指を放さないで加速キー２２０と持続的に接触を維持すれば、加速されたスクロール操作が持続的に遂行されることができる。しかしながら、ユーザが加速キー２００から指を放したり、または、特定キーをタッチすれば、加速スクロール操作は終了されるはずである。
【００５６】
一実施形態によれば、加速キー２２０が押されたり、または、タッチされる場合、コンテンツデータスクロール操作はページ単位で遂行されることができる。例えば、加速キー２２０が１回タッチされれば、スクロール操作は現在ページから次のページまで選択されたスクロール方向にスクロールする。
【００５７】
加速キー２２０を使用してコンテンツデータを速かに探索する間、移動通信端末は所定のサウンドを出力するスピーカを含むことができる。このようなサウンドは所定間隔で発生されて、移動通信端末のユーザはサウンドを聞くことにより、加速されたスクロール操作が認識できることになる。
【００５８】
エンターキー２４０は、ユーザがタッチしたり、または、押さえる場合、スクローリングされたコンテンツデータが実行できる信号を発生させる。しかしながら、エンターキー２４０がスクローリングされたコンテンツデータが実行できる唯一のキーではない。例えば、探索キー２１０、２３０は、スクローリングされたコンテンツデータの位置で所定時間以上タッチされたり、または、押される場合、スクローリングされたコンテンツデータが実行できる信号を発生させることができる。ユーザがスクローリングされたコンテンツデータの位置で探索キー２１０から指を放すと、探索キー２１０はスクローリングされたコンテンツデータが実行できる信号を発生させることができる。ここで、スクローリングされたコンテンツデータとは、全体コンテンツデータのうち、少なくとも一部のブラウジングの間、現在ハイライトされるコンテンツデータをいう。
【００５９】
図２ｂは、本発明の第２実施形態に係る入力部の全面図である。入力部１２０は探索キー２１０、２３０、加速キー２２０及び探索方向キー２５０を含む。
【００６０】
図２ｂにおいて、探索キー２１０、２３０及び加速キー２２０ｂの操作と機能は図２ａと類似するので、これ以上の説明は省略する。
【００６１】
探索キー２１０、２３０と関連して、探索方向キー２５０は４方向（左方、右方、上方及び下方）のうち、いずれか１つで、コンテンツデータを持続的にスクローリングすることに使われることができるスクロール方向信号を発生させる。例えば、ユーザが探索方向キー２５０を押さえたり、または、タッチした以後、探索キー２１０の左方矢印キー（＜）、または、右方矢印キー（＞）がタッチされたり、または、押されれば、各々コンテンツデータを持続的に左方、または、右方にスクロールできるスクロール方向信号が発生される。ユーザが上方矢印キー（∧）、または、下方矢印キー（∨）を押さえたり、または、タッチすれば、各々コンテンツデータを持続的に上方に、または、下方にスクロールできるスクロール方向信号が発生される。ユーザが探索方向キー２５０を押さえたり、または、タッチすれば、または、探索キー２１０、２３０のうち、いずれか１つを再度押さえたり、または、タッチすれば、スクロール操作が終了する。
【００６２】
図２ｃは、本発明の第３実施形態に係る入力部の全面図である。入力部１２０は、探索キー２１０、２３０、加速キー２２０、エンターキー２４０及び探索方向キー２５０を含む。
【００６３】
エンターキー２４０及び探索キー２１０、２３０の操作及び機能は、図２ａに対して説明されたエンターキー２４０及び探索キー２１０、２３０と類似する。したがって、これに対する詳細な説明は省略する。探索方向キー２５０及び探索キー２１０、２３０の操作及び機能は、図２ｂに対して説明された探索方向キー２５０及び探索キー２１０、２３０と類似する。したがって、これに対する詳細な説明は省略する。加速キー２２０の操作及び機能は、図２ａに対して説明された加速キー２２０と類似する。したがって、これに対する詳細な説明は省略する。
【００６４】
図２ｄは、本発明の第４実施形態に係る入力部の全面図である。入力部１２０は、探索キー２１０、２３０及び加速キー２２０を含む。
【００６５】
探索キー２１０、２３０の機能及び操作は、図２ａ及び２ｂに対して説明された探索キー２１０、２３０と類似するので、これに対する詳細な説明は省略する。加速キー２２０の機能及び操作は、図２ａに対して説明された加速キー２２０と類似する。したがって、これに対する説明は省略する。
【００６６】
図２ｅは、本発明の第５実施形態に係る入力部の全面図である。入力部１２０は、センサー２６０を含む探索キー２１０を含む。各々のセンサー２６０は、タッチされたり押される場合、所定数のコンテンツデータを所定方向にスクローリングすることに使われる信号を発生させることができる。例えば、センサー２６０は、探索キー２１０で特定位置に配置されたり、または、探索キー２１０の全般に均一に配置されることができる。そうでなければ、センサーは探索キー２１０から所定距離の間隔で配置されることができる。
【００６７】
例えば、スクロールされるコンテンツデータの所定数が‘１’と仮定すれば、ユーザが１つのセンサー２６０をタッチしたり、または、押さえる場合、１単位のコンテンツ単位が所定方向にスクロールされるはずである。２つのセンサーが連続してタッチされたり、または、押される場合、２単位のコンテンツデータが所定方向にスクロールされるはずである。
【００６８】
代案的に、センサー２６０は、多様なコンテンツデータをスクローリングする速度を制御することに使われることができる。例えば、ユーザが１つのセンサー２６０を押さえたりタッチする場合、コンテンツデータは低速でスクロールされるはずである。ユーザが２つ以上のセンサー２６０を連続してタッチしたり、または、押さえる場合、コンテンツデータは高速でスクロールされるはずである。したがって、スクロール速度は、タッチされたり、または、押されるセンサー２６０の数に依存することになる。
【００６９】
センサー２６０は、ユーザに触覚を提供する凸部材、または、凹部材の形態で構成されることができる。
【００７０】
図３は、移動通信端末で希望するコンテンツを探索するためにコンテンツデータをスクローリングする方法の一例を示す流れ図である。図３を参照すれば、ステップＳ３１０で、ユーザのタッチングアクション、または、押さえアクションが感知される。
【００７１】
ユーザのタッチングアクション、または、押さえアクションに基づいて、ステップＳ３２０でスクロール信号が生成される。
【００７２】
例えば、スクロール信号は、移動通信端末に含まれる探索キー、エンターキー及び探索方向キーのうち、少なくとも１つを使用して発生されることができる。探索キー、エンターキー及び探索方向キーの操作及び機能の例に対しては前述したことがある。方法はステップＳ３３０に進行する。
【００７３】
ステップＳ３３０では、移動通信端末であらかじめ定義された定常速度より高い速度でコンテンツデータをスクローリングする加速信号が受信されたか否かに対する判定がなされる。
【００７４】
例えば、加速信号は移動通信端末に含まれた加速キーを通じて生成されることができる。
【００７５】
ステップＳ３３０で、加速信号が受信されたと判定されれば、ステップＳ３４０で定常速度より高い速度でコンテンツデータに対するスクロールが遂行される。
【００７６】
一方、ステップＳ３３０で、加速信号が受信されなかったと判定されれば、ステップ３５０で、定常速度でコンテンツデータに対するスクロールが遂行される。
【００７７】
ステップＳ３６０では、特定のコンテンツデータに対するコンテンツデータスクローリングプロセスがディスプレイされたり、または、探索された特定のコンテンツデータがディスプレイされる。
【００７８】
多くの実施形態において、ステップ３４０で、加速キーを使用してコンテンツデータを速かにスクローリングする間、移動通信端末に含まれたスピーカが所定のサウンドを出力することができる。このようなサウンドは所定の間隔で発生されることができる。したがって、移動通信端末のユーザはそのサウンドを聞くことにより、加速されたスクロール操作を認識することができる。
【００７９】
多くの実施形態において、ステップＳ３４０、または、Ｓ３５０でスクローリングされたコンテンツデータは、エンターキーが押されたり、または、タッチされる時に実行されることができる。ここで、スクローリングされたコンテンツデータとは、全体コンテンツデータのブラウジングの間、現在ハイライトされたコンテンツデータをいう。
【００８０】
多くの実施形態において、ステップＳ３４０、または、Ｓ３５０でスクローリングされたコンテンツデータは、ユーザがスクローリングされたコンテンツデータの位置で探索キーから指を放す場合に実行されることができる。ここで、スクローリングされたコンテンツデータとは、全体コンテンツデータのブラウジング間、現在ハイライトされたコンテンツデータをいう。
【００８１】
多くの実施形態において、ステップＳ３４０、または、Ｓ３５０でスクローリングされたコンテンツデータは、所定時間間、探索キーが押されたり、または、タッチされる時に実行されることができる。ここで、スクローリングされたコンテンツデータとは、全体コンテンツデータのブラウジングの間、現在ハイライトされたコンテンツデータをいう。
【００８２】
多くの実施形態において、ステップＳ３６０で、ディスプレイは探索キーを使用して４方向（左方、右方、上方及び下方）の中から選択されるスクロール方向によってスクロールプロセスをディスプレイする。そうでなければ、ディスプレイ１３０は、ステップＳ３６０で、ユーザが探索方向キーをタッチする時に生成されるスクロール方向信号によってスクロールプロセスをディスプレイすることができる。また、ディスプレイは、ステップＳ３６０で、コンテンツデータスクローリングのプロセスを順次にディスプレイすることができる。例えば、探索方向が下方に設定されれば、ディスプレイは下方にスクローリングのプロセスをディスプレイするはずである。探索方向が右方であれば、ディスプレイ１３０は右方にスクローリングのプロセスをディスプレイするはずである。
【００８３】
図４は、コンテンツデータをスクローリングするプロセスをディスプレイする方法の一例を示す流れ図である。ステップＳ４１０では、移動通信端末内に探索方向設定機能が存在するか否かが判定される。例えば、探索方向設定機能は、移動通信端末が探索方向キーを含む場合、ユーザをして探索方向キーを使用してコンテンツデータ探索方向を樹立するようにする特定の機能である。
【００８４】
ステップＳ４１０で、移動通信端末が探索方向設定機能を含むか否かが判定されれば、ステップＳ４２０で、ディスプレイは探索方向キーにより樹立された探索方向によって探索プロセスをディスプレイする。例えば、探索方向が下側方向に設定されれば、ディスプレイは探索プロセスを下側方向にディスプレイするはずである。
【００８５】
ステップＳ４１０で、移動通信端末が探索方向設定機能を持たないと判定されれば、ステップＳ４３０で、所定時間間、探索キーの左方矢印キー（＜）、または、右方矢印キー（＞）が押されたり、または、タッチされたかの可否が判定される。
【００８６】
所定時間間、左方矢印キー（＜）、または、右方矢印キー（＞）が押さえられたり、または、タッチされたと判定されれば、ステップＳ４４０で、ディスプレイは各々左方向に、または、右方向にコンテンツデータスクローリングの探索プロセスをディスプレイする。例えば、ステップＳ４３０で、所定時間間、左方矢印キー（＜）、または、右方矢印キー（＞）が押されたり、または、タッチされれば、スクロール方向は、各々左方向に、または、右方向に設定される。ユーザが探索キーと持続的に接触を維持すると共に、指を探索キーの一部分から他の部分に、右方向へ移動すれば、ユーザは特定のコンテンツデータに対して右方向に探索することができる。一方、ユーザが探索キーと持続的に接触を維持すると共に、指を探索キーの一部分から他の部分に、左方向へ移動すれば、ユーザはコンテンツデータに対して左方向に探索することができる。ディスプレイは左側方向に探索プロセスをディスプレイする。
【００８７】
ステップＳ４３０で、左方矢印キー（＜）、または、右方矢印キー（＞）が押されたりタッチされなかったと判定されれば、ステップＳ４５０で、ディスプレイはデフォルト方向である下側方向に探索プロセスをディスプレイする。
【００８８】
例えば、ユーザが探索キーと持続的に接触を維持すると共に、指を探索キーの一部分から他の部分に、時計方向へ移動すれば、ユーザはコンテンツを下方向に探索することができ、ステップＳ４５０で、ディスプレイ１３０は前述したコンテンツ＿探索＿プロセスを下方向にディスプレイする。一方、ユーザが探索キーと持続的に接触を維持すると共に、指を探索キーの一部分から他の部分に、反時計方向へ移動すれば、ユーザは下方向の反対方向である上方向にコンテンツデータを探索することができ、ステップＳ４５０で、ディスプレイ１３０は前述したコンテンツ＿探索＿プロセスを上方向にディスプレイする。
【００８９】
前述した特徴と機能、または、その他のものと、その代案的なものは、プログラミングされたマイクロプロセッサ、マイクロコントローラ、ＡＳＩＣ、ＰＬＤ、ＰＬＡ、ＦＰＧＡ、または、ＰＡＬなどの集積回路素子、ハードワイヤド電子回路、または、論理回路、または、プログラマーブル論理ディバイスに具現されることができる。
【００９０】
以上、説明されたプロセスの流れは、希望する結果に至るコンピュータ処理段階の一貫性あるシーケンスとして具現されることができる。これらの段階はコンピュータ読取可能媒体に格納される１つ以上のコンピュータ命令語として定義できるが、これは処理装置にソフトウェア命令語を提供する搬送波などを含むことと理解されるべきである。これらの段階は、段階を定義する命令語を実行させるプロセッサにより実行されることができる。また、プロセスの流れは１つ以上の適するプログラムを実行させるプロセッサにより、該当方法を遂行するように設計された専用ハードウェアにより、または、このようなハードウェア、ファームウエア及びソフトウェア成分に対する任意の組合せにより遂行されることができる。
【００９１】
前述した特徴と機能、または、他の特徴と機能、または、その代案的なものは、多数の他の装置やアプリケーションに好ましく組合わせることができるということが分かるはずである。また、当業者であれば、現在予測できない、または、期待できなかった代案、変形物、変更事項、または、改善事項を後続して成すことができ、これらは以下の特許請求範囲に含まれることと考えられる。
【００９２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００９３】
コンテンツデータがスクローリングできる移動通信端末は、活性化の際、加速信号を発生するように構成される少なくとも１つの加速キーを含む。制御器は、前記加速信号に基づいて所定速度より高い速度でコンテンツデータをスクローリングするように構成される。
【図面の簡単な説明】
【００９４】
添付の図面は、本発明の理解を助け、図示された実施形態は詳細な説明と共に本発明の多様な実施形態の原理を説明する機能をする。
【図１】本発明の実施形態によりコンテンツデータがスクローリングできる移動通信端末の一例を示すブロック図である。
【図２ａ】本発明の第１実施形態に係る入力部の全面図である。
【図２ｂ】本発明の第２実施形態に係る入力部の全面図である。
【図２ｃ】本発明の第３実施形態に係る入力部の全面図である。
【図２ｄ】本発明の第４実施形態に係る入力部の全面図である。
【図２ｅ】本発明の第５実施形態に係る入力部の全面図である。
【図３】移動通信端末を使用してコンテンツデータをスクローリングする方法の一例を示す流れ図である。
【図４】移動通信端末を使用してコンテンツデータをスクローリングする方法の他の例を示す流れ図である。
【図１】
2007073042.tif 000003
【図２ａ】
2007073042.tif 000004
【図２ｂ】
2007073042.tif 000005
【図２ｃ】
2007073042.tif 000006
【図２ｄ】
2007073042.tif 000007
【図２ｅ】
2007073042.tif 000008
【図３】
2007073042.tif 000009
【図４】
2007073042.tif 000010